(57)【要約】【課題】換気機能を有する嵌め殺し窓を提供する。【解決手段】建物の壁体に形成した開口部１５に上枠１７と下枠１８と左右縦枠２４、２５とを枠組みした窓枠内にガラス２０を納めた嵌め殺し窓１０において、前記下枠１８には、前記ガラス２０の下端部を飲み込む飲込み部１８ａと、前記飲込み部１８ａの屋内側に配置される垂直空間部１８ｃと、前記垂直空間部１９ｃと連通する空気流路１８ｅと、を形成した。前記垂直空間部１８ｃは、上端部が通気可能なカバー材１９で覆われて屋内と連通し、前記空気流路１８ｅは、前記下枠１８の屋外側に設けられた通気口１８ｆによって屋外と連通するようにした。【選択図】図３
2012052342.tif 000002
【特許請求の範囲】
【請求項１】
建物の開口部に上枠と下枠と左右縦枠とを枠組みした窓枠内にガラスを納めた嵌め殺し窓において、
前記下枠には、前記ガラスの下端部を飲み込む飲込み部と、前記飲込み部の屋内側に配置される垂直空間部と、前記垂直空間部と連通する空気流路と、が形成され、
前記垂直空間部は、上端部が通気可能なカバー材で覆われて屋内と連通しており、
前記空気流路は、前記下枠の屋外側に設けられた通気口によって屋外と連通していることを特徴とする、嵌め殺し窓。
【請求項２】
前記空気流路は、前記垂直空間部の下部と連通して、前記飲込み部の下方に配置されていることを特徴とする、請求項１記載の嵌め殺し窓。
【請求項３】
前記カバー材は、露出面が水平となるように前記垂直空間部の上端部を覆うことを特徴とする、請求項１又は２記載の嵌め殺し窓。
【請求項４】
前記下枠は、屋外側の第１起立片と、前記第１起立片よりも屋内側に形成された第２起立片と、前記第２起立片よりも更に屋内側に形成された第３起立片と、が上方に起立して見付方向に溝を形成しており、
前記第１起立片と前記第２起立片との間に形成された溝で前記飲込み部を形成し、
前記第２起立片と前記第３起立片との間に形成された溝で前記垂直空間部を形成していることを特徴とする、請求項１〜３のいずれかに記載の嵌め殺し窓。
【発明の詳細な説明】
【技術分野】
【０００１】
この発明は、建物の壁体に形成した開口部に上枠と下枠と左右縦枠とを枠組みした窓枠内にガラスを納めた嵌め殺し窓に関するものである。
【背景技術】
【０００２】
従来、窓枠と窓枠内に固定されるガラスとを備えた嵌め殺し窓（ＦＩＸ窓）が知られている（例えば、特許文献１参照）。
【０００３】
こうした嵌め殺し窓では、上枠と下枠と左右縦枠とで枠組みした窓枠の内部にガラスが納められ、各枠材に係合する押縁部材がガラスを屋内側から押圧し、この押縁部材と各枠材とでガラスを挟持することによって、ガラスが窓枠に固定されるようになっている。
【先行技術文献】
【特許文献】
【０００４】
【特許文献１】特開２０１０−４３４０３号公報
【発明の概要】
【発明が解決しようとする課題】
【０００５】
しかし、従来の嵌め殺し窓には、換気を図るものが存在しなかった。
【０００６】
そこで、本発明は、換気機能を有する嵌め殺し窓を提供することを課題とする。
【課題を解決するための手段】
【０００７】
本発明は、上記した課題を解決するためになされたものであり、以下を特徴とする。
【０００８】
（請求項１）
請求項１に記載の発明は、以下の点を特徴とする。
【０００９】
すなわち、請求項１に記載の嵌め殺し窓は、建物の壁体に形成した開口部に上枠と下枠と左右縦枠とを枠組みした窓枠内にガラスを納めた嵌め殺し窓において、前記下枠には、前記ガラスの下端部を飲み込む飲込み部と、前記飲込み部の屋内側に配置される垂直空間部と、前記垂直空間部と連通する空気流路と、が形成され、前記垂直空間部は、上端部が通気可能なカバー材で覆われて屋内と連通しており、前記空気流路は、前記下枠の屋外側に設けられた通気口によって屋外と連通していることを特徴とする。
【００１０】
（請求項２）
請求項２に記載の発明は、上記した請求項１記載の発明の特徴点に加え、以下の点を特徴とする。
【００１１】
すなわち、前記空気流路は、前記垂直空間部の下部と連通して、前記飲込み部の下方に配置されていることを特徴とする。
【００１２】
（請求項３）
請求項３に記載の発明は、上記した請求項１又は２記載の発明の特徴点に加え、以下の点を特徴とする。
【００１３】
すなわち、前記カバー材は、露出面が水平となるように前記垂直空間部の上端部を覆うことを特徴とする。
【発明の効果】
【００１４】
請求項１に記載の発明は上記の通りであり、建物の壁体に形成した開口部に窓枠が設置されているから、開口部の内面が外部に露出して壁の厚みが外部から見える深見込みの構成とすることができ、重厚感が強調された意匠性の高い嵌め殺し窓を提供できる。また、下枠には、ガラスの下端部を飲み込む飲込み部と、前記飲込み部の屋内側に配置される垂直空間部と、前記垂直空間部と連通する空気流路と、が形成され、前記垂直空間部は、上端部が通気可能なカバー材で覆われて屋内と連通しており、前記空気流路は、前記下枠の屋外側に設けられた通気口によって屋外と連通している。このため、下枠に設けられた垂直空間部及び空気流路を介して屋内側と屋外側とが連通しているため、換気機能を有する嵌め殺し窓を提供することができ、上記したような深見込みの嵌め殺し窓であっても換気機能を備えることができる。
【００１５】
また、請求項２に記載の発明は上記の通りであり、前記空気流路は、前記垂直空間部の下部と連通して、前記飲込み部の下方に配置されているため、下枠の下部に空気流路のためのスペースを確保でき、空気の流れを良好にすることができる。
【００１６】
また、請求項３に記載の発明は上記の通りであり、前記カバー材は、露出面が水平となるように前記垂直空間部の上端部を覆うため、内観としてカバー材が目立つことがなく、意匠性の良い嵌め殺し窓を提供することができる。
【図面の簡単な説明】
【００１７】
【図１】嵌め殺し窓の（ａ）外観図（ｂ）内観図である。
【図２】嵌め殺し窓の縦断面図である。
【図３】図１の下枠付近を拡大した部分拡大断面図である。
【図４】嵌め殺し窓の横断面図である。
【図５】第１の変形例を示す図であって、下枠付近を拡大した部分拡大断面図である。
【図６】第２の変形例を示す図であって、嵌め殺し窓の縦断面図である。
【図７】第２の変形例を示す図であって、下枠付近を拡大した部分拡大断面図である。
【発明を実施するための形態】
【００１８】
以下、本発明の実施形態について図を参照しつつ説明する。
【００１９】
本実施例に係る嵌め殺し窓１０は、図１〜４に示すように、建物の壁体に形成した開口部１５の奥に上枠１７と下枠１８と左右縦枠２４、２５とで枠組みした窓枠を設置し、この窓枠内にガラス２０を納めて形成されている。
【００２０】
上記した窓枠を構成する上枠１７、下枠１８、及び、左右縦枠２４、２５は、アルミの押し出し型材にて成型された金属枠であり、図２に示すように、外壁１１の表面から奥まった位置に配置されて深見込みとなっている。
【００２１】
下枠１８には、図２及び図３に示すように、上方を開放した溝状の飲込み部１８ａと、前記飲込み部１８ａの屋内側に配置される垂直空間部１８ｃと、前記垂直空間部１８ｃと連通する空気流路１８ｅと、が形成されている。詳しくは、下枠１８には、図２及び図３に示すように、上端方向に向けて３つの起立片が垂直に立ち上がっており、すなわち、屋外側の第１起立片４０と、この第１起立片４０よりも屋内側に形成された第２起立片４１と、この第２起立片４１よりも更に屋内側に形成された第３起立片４２と、が設けられている。これらの３つの起立片が上方に起立することにより、見付方向に溝が形成されており、第１起立片４０と第２起立片４１との間に形成された溝が上記した飲込み部１８ａを形成し、記第２起立片４１と第３起立片４２との間に形成された溝が上記した垂直空間部１８ｃを形成するようになっている。
【００２２】
飲込み部１８ａは、図２に示すように、ガラス２０の下端部を飲み込むためのものである。すなわち、この飲込み部１８ａの下部にはセッティングブロック２２が配置されており、このセッティングブロック２２の上にガラス２０の下端部を載置することにより、ガラス２０の下端部を飲み込むようになっている。なお、このように載置されたガラス２０の下端部は、緩衝部材２１を介して飲込み部１８ａの両側面によって支持される。
【００２３】
垂直空間部１８ｃは、図３に示すように、飲込み部１８ａの屋内側に隣接して設けられ、飲込み部１８ａと見付方向に平行な溝部を形成するものである。なお、この垂直空間部１８ｃの上端部は、下枠１８の長手方向全長にわたって開口しており、図３に示すように、この下枠１８の長手方向全長にわたる開口がカバー材１９で覆われている。すなわち、このカバー材１９は、下枠１８の長手方向全長と略同じ長さに形成されている。なお、カバー材１９は必ずしも下枠１８の長手方向全長と略同じ長さに形成する必要はなく、複数のカバー材１９を連結して下枠１８の長手方向全長と略同じ長さとしてもよい。
【００２４】
このカバー材１９は、露出面１９ａが水平となるように垂直空間部１８ｃの上端部を覆っており、この露出面１９ａに複数の通気部１９ｂ（例えば、通気用のスリットなど）が形成されていることにより、通気可能な形状となっている。このため、垂直空間部１８ｃの内部は、カバー材１９の通気部１９ｂを介して屋内と連通するようになっている。
【００２５】
空気流路１８ｅは、垂直空間部１８ｃと連通して換気を行うためのものであり、図３に示すように、前記垂直空間部１８ｃの下部と連通して、前記飲込み部１８ａの下方に配置されている。詳しくは、前記した垂直空間部１８ｃの下端部には連通口１８ｄが開口しており、この連通口１８ｄを介して空気流路１８ｅと垂直空間部１８ｃとが連通するようになっている。また、この空気流路１８ｅは、飲込み部１８ａの下方で略水平に設けられており、屋外側へと延設されて、屋外側に露出する面を有する外壁部１８ｇに突き当るようになっている。なお、この空気流路１８ｅは、図３に示すように、底部が屋外方向に行くに従って次第に下方に傾斜するように形成されている。この空気流路１８ｅが突き当る外壁部１８ｇには通気口１８ｆが貫通形成されており、この通気口１８ｆによって空気流路１８ｅは屋外と連通している。すなわち、空気流路１８ｅは、一端が連通口１８ｄを介して垂直空間部１８ｃと連通しており、他端が通気口１８ｆを介して屋外と連通するようになっている。
【００２６】
なお、この下枠１８には、屋外方向に延設された水切り部１８ｂが一体形成されており、この水切り部１８ｂが外壁１１の開口部１５の縁部まで延出しており、外壁１１の開口部１５の下方内側全体を覆っている。
【００２７】
ところで、本実施形態に係る外壁１１は、図２に示すように、下地材１６の外側にサイディング材１２が貼設されて形成されており、表面に嵌め殺し窓１０用の開口部１５を有するものである。
【００２８】
ここで、この開口部１５の下部を見ると、図２に示すように、水切り部１８ｂの下部においてサイディング材１２が外壁１１を形成しており、このサイディング材１２の端部が下枠１８の水切り部１８ｂの下面側に臨むように配置されている。そして、このサイディング材１２の端部と下枠１８との間には、コーキング材１４が充填され、両者の間の間隙が埋められている。
【００２９】
すなわち、水切り部１８ｂの上方には開口部１５が設けられており、前記した通気口１８ｆは水切り部１８ｂよりも上方に設けられているため、通気口１８ｆは屋外側に露出するように設けられている。このため、図３に示すように、カバー材１９の通気部１９ｂから垂直空間部１８ｃへと流れ込んだ空気は、連通口１８ｄを介して空気流路１８ｅへと流れ、更に通気口１８ｆを通って屋外へと排気される。もちろん、これと逆に空気が流れれば、屋外から屋内への吸気が行われることとなる。
【００３０】
このように、本実施形態によれば、建物の壁体に形成した開口部１５の奥に窓枠が設置されているから、開口部１５の内面が外部に露出して壁の厚みが外部から見える深見込みの構成となっており、重厚感が強調された意匠性の高い嵌め殺し窓１０となっている。また、下枠１８に設けられた垂直空間部１８ｃ及び空気流路１８ｅを介して屋内側と屋外側とが連通しているため、換気機能を有する嵌め殺し窓１０を提供することができ、深見込みの嵌め殺し窓１０であるにもかかわらず換気機能を備えるようになっている。
【００３１】
また、前記空気流路１８ｅは、前記垂直空間部１８ｃの下部と連通して、前記飲込み部１８ａの下方に配置されているため、下枠１８の下部に空気流路１８ｅのための広いスペースを確保でき、空気の流れを良好にすることができる。
【００３２】
また、前記カバー材１９は、露出面１９ａが水平となるように前記垂直空間部１８ｃの上端部を覆うため、内観としてカバー材１９が目立つことがなく、意匠性の良い嵌め殺し窓１０を提供することができる。
【００３３】
なお、本実施形態においては、図４に示すように、左右縦枠２４、２５でガラス２０の左右端を挟持している。この左右縦枠２４、２５にガラス２０を固定する際には、ガラス支持部２４ａ、２５ａに緩衝部材を取り付け、この緩衝部材を介してガラス支持部２４ａ、２５ａでガラス２０の左右端の屋外側面を支持する。そして、屋内側から縦枠押縁部材２８を嵌め込む。すなわち、縦枠押縁部材２８の屋内側の端縁付近に形成された係止端部２８ａを左縦枠２４の押縁係合部２４ｃに係合させ、縦枠押縁部材２８の裏面側を左縦枠２４に固定して、ガラス２０の屋内側に縦枠押縁部材２８を取り付ける。このとき、縦枠押縁部材２８の屋外側の端縁付近に形成された支持端部２８ｂには緩衝部材を取り付けており、この緩衝部材がガラス２０に当接するようになっている。これにより、この縦枠押縁部材２８が緩衝部材を介して屋内側からガラス２０をガラス支持部２４ａ、２５ａの方向へと押圧し、ガラス２０は、縦枠押縁部材２８とガラス支持部２４ａ、２５ａとで挟み込まれて固定される。
【００３４】
本実施形態においては、この縦枠押縁部材２８がカバー材１８と同じ幅で設けられており、カバー材１８の端部で連続するように配置されているため、すっきりとした意匠の嵌め殺し窓１０となっている。
【００３５】
また、本実施形態においては、図２及び図４に示すように、上枠２１及び左右縦枠２４、２５に臨むようにコーナーサイディング材１３が配置されており、このコーナーサイディング材１３と上枠２１との間、及び、このコーナーサイディング材１３と左右縦枠２４、２５との間には、コーキング材１４が充填されて間隙が埋められている。この上枠２１との間のコーキング材１４は、左右縦枠２４、２５との間のコーキング材１４と連続しており、すなわち、上枠２１と左右縦枠２４、２５とに沿って連続するようにコーキング材１４が充填されている。
【００３６】
なお、上記においては、カバー材１９が単に通気可能である（通気部１９ｂを有する）として説明したが、これに限らない。例えば、カバー材１９と一体あるいは別体に、換気装置を設けることとしてもよい。具体的には、図５に示すように、カバー材１９に一体となった換気用フラップ２３を設けるような態様としてもよい。そして、この換気用フラップ２３は、スイッチ（図示せず）などを操作することでカバー材１９の通気部１９ｂを開閉可能に形成してもよい。また、このような換気装置を、カバー材１９と一体に設けるのではなく、カバー材１９と分離して垂直空間部１８ｃの内部に設けることとしてもよい。また、通気部１９ｂを有するカバー材１９の他に、通気不能なカバー材を別途用意して、カバー材を取り換えることで換気の有無を切り替えることとしてもよい。
【００３７】
また、上記した実施形態に係る下枠１８に代えて、下記のような下枠１８を採用してもよい。すなわち、図６及び図７に示すように、上記実施形態の下枠１８と比較して、水切り部１８ｂを上方に形成した下枠１８を採用してもよい。
【００３８】
この下枠１８は、図６及び図７に示すように、水切り部１８ｂを、ガラス２０の下端部を飲み込む飲込み部１８ａの下面と連続するように、この飲込み部１８ａの下面と略同じ高さに設けている。このため、この空気流路１８ｅが屋外側で突き当る突き当り部１８ｊは、外壁１１に埋もれて露出しないようになっている。すなわち、この突き当り部１８ｊには空気流路１８ｅと連通する第１通気口１８ｈが設けられているものの、この第１通気口１８ｈは屋外側に露出しないようになっている。
【００３９】
この第１通気口１８ｈにおける、空気流路１８ｅの向こう側には、図６に示すように、サイディング材１２や下地材１６で囲まれた水切り下空間部１８ｋが設けられており、すなわち、この水切り下空間部１８ｋは、水切り部１８ｂの下方において第１通気口１８ｈを介して空気流路１８ｅと連通している。また、図６に示すように、水切り下空間部１８ｋの上方を覆う水切り部１８ｂには、第２通気口１８ｉが形成されており、この第２通気口１８ｉによって水切り下空間部１８ｋが屋外と連通するようになっている。
【００４０】
このため、図７に示すように、カバー材１９の通気部１９ｂから垂直空間部１８ｃへと流れ込んだ空気は、連通口１８ｄを介して空気流路１８ｅへと流れ、更に第１通気口１８ｈと第２通気口１８ｉを通って屋外へと排気される。もちろん、これと逆に空気が流れれば、屋外から屋内への吸気が行われることとなる。
【００４１】
この図６及び図７に示すような構成とした場合でも、下枠１８に設けられた垂直空間部１８ｃ及び空気流路１８ｅを介して屋内側と屋外側とが連通しているため、換気機能を有する嵌め殺し窓１０を提供することができる。
【符号の説明】
【００４２】
１０  嵌め殺し窓
１１  外壁
１２  サイディング材
１３  コーナーサイディング材
１４  コーキング材
１５  開口部
１６  下地材
１７  上枠
１８  下枠
１８ａ  飲込み部
１８ｂ  水切り部
１８ｃ  垂直空間部
１８ｄ  連通口
１８ｅ  空気流路
１８ｆ  通気口
１８ｇ  外壁部
１８ｈ  第１通気口
１８ｉ  第２通気口
１８ｊ  突き当り部
１８ｋ  水切り下空間部
１９  カバー材
１９ａ  露出面
１９ｂ  通気部
２０  ガラス
２１  緩衝部材
２２  セッティングブロック
２３  換気用フラップ
２４  左縦枠
２４ａ  ガラス支持部
２５  右縦枠
２５ａ  ガラス支持部
３０  アングル材
３１  額縁部材
３４  内壁
３６  水切りキャップ
４０  第１起立片
４１  第２起立片
４２  第３起立片
【図１】
2012052342.tif 000003
【図２】
2012052342.tif 000004
【図３】
2012052342.tif 000005
【図４】
2012052342.tif 000006
【図５】
2012052342.tif 000007
【図６】
2012052342.tif 000008
【図７】
2012052342.tif 000009